(57)【要約】【課題】本発明は、カラー・シーケンシャル・ディスプレイ及びその電力節約方法を提供する。【解決手段】カラー・シーケンシャル・ディスプレイの電力消費の更なる低減のために、電力消費を低減するための状態に従ってフレーム・レート又はフィールド・レートが低減される。該状態は、受信されたフレームが動的か静的か及びバックライト・モードが作動されるか否かを含む。更に、画像は、カラー画像の形式か又はグレー・レベルの形式で選択的に出力され、処理されるデータの量及び関連するデータ送信を低減するようにしてよい。【選択図】図１
2011065127.tif 000002
【特許請求の範囲】
【請求項１】
カラー・シーケンシャル・ディスプレイの電力節約方法であって：
当該カラー・シーケンシャル・ディスプレイの画像処理端末により受信されたフレームが静的か動的かを決定する段階；
当該カラー・シーケンシャル・ディスプレイがバックライト・モードを作動するか否かを決定する段階；及び
前記フレームが静的か動的か及び前記バックライト・モードが作動されているか否かの結果に従って、前記画像処理端末のグラフィック・エンジンにより用いられる第１のフレーム・レートを低減し、フレームを出力するときの当該カラー・シーケンシャル・ディスプレイの第２のフレーム・レートを低減する段階；
を有する方法。
【請求項２】
バッファが画像を読み出す間、前記第２のフレーム・レートは当該カラー・シーケンシャル・ディスプレイの前記バッファにより用いられる、
ことを特徴とする請求項１記載の方法。
【請求項３】
前記フレームが静的か動的か及び前記バックライト・モードが作動されているか否かの結果に従って、前記第１のフレーム・レート及び前記第２のフレーム・レートを低減する段階は：
前記フレーム・レートが動的である間及び前記バックライト・モードが作動するとき、前記第１のフレーム・レートを第１の画像処理境界フレーム・レートまで低減する段階；
前記フレーム・レートが動的である間及び前記バックライト・モードが作動するとき、前記第１のフレーム・レートを第２の画像処理境界フレーム・レートまで又はそれより低く低減する段階；及び
前記フレームが静的である間、前記第１のフレーム・レートを第３の画像処理境界フレーム・レートまで低減する段階；
を有し、
前記第１の画像処理境界フレーム・レートは前記第２の画像処理境界フレーム・レートより高く、前記第２の画像処理境界フレーム・レートは前記第３の画像処理境界フレーム・レートより高く；
前記第１及び第２の画像処理境界フレーム・レートの両者は少なくともゼロである；
ことを特徴とする請求項１記載の方法。
【請求項４】
前記カラー・シーケンシャル・ディスプレイが前記バックライト・モードを作動している間、前記グラフィック・エンジンはカラー画像の形式で画像を送信する段階；
を更に有する請求項３記載の方法。
【請求項５】
前記カラー・シーケンシャル・ディスプレイが前記バックライト・モードを作動していない間、前記グラフィック・エンジンはグレー・レベル画像又はカラー画像の形式で画像を送信する段階；
を更に有する請求項３記載の方法。
【請求項６】
前記フレームが静的か動的か及び前記バックライト・モードが作動されているか否かの結果に従って、前記第１のフレーム・レート及び前記第２のフレーム・レートを低減する段階は：
前記フレームが動的である間及び前記バックライト・モードが作動されているとき、前記第２のフレーム・レートを第１の画像処理境界フレーム・レートまで低減する段階；
前記フレームが動的である間及び前記バックライト・モードが作動されていないとき、前記第２のフレーム・レートを第２の表示境界フレーム・レートまで低減する段階；
前記フレームが静的である間及び前記バックライト・モードが作動されているとき、前記第２のフレーム・レートを第３の表示境界フレーム・レートまで又はそれより低く低減する段階；及び
前記フレームが静的である間及び前記バックライト・モードが作動されていないとき、前記第２のフレーム・レートを第４の表示境界フレーム・レートまで低減する段階；
を有し、
前記第１の表示境界フレーム・レートは前記第２及び第３の表示境界フレーム・レートの両者より高く、前記第２及び第３の表示境界フレーム・レートの両者は前記第４の表示境界フレーム・レートより高く；
前記第１及び第４の表示境界フレーム・レートの両者はゼロより高い；
ことを特徴とする請求項１記載の方法。
【請求項７】
前記フレームが静的である間、所定の色順序に従って前記バッファに格納された固定画像を読み出す段階；
を更に有する請求項６記載の方法。
【請求項８】
カラー・シーケンシャル・ディスプレイであって：
画像処理端末；及び
表示端末；
を有し、
前記画像処理端末は：
当該カラー・シーケンシャル・ディスプレイにより受信された画像が静的か動的かを検出する画像状態検出ユニット；及び
該画像状態検出ユニットによる画像の検出の結果に従って及び当該カラー・シーケンシャル・ディスプレイがバックライト・モードを作動するか否かに従って、当該カラー・シーケンシャル・ディスプレイの有するグラフィック・エンジンの第１のフレーム・レートを低減するフレーム・レート制御ユニット；
を有し、
前記表示端末は：
前記第１のフレーム・レートに従って及び当該カラー・シーケンシャル・ディスプレイが前記バックライト・モードを作動するか否かに従って、画像を読み出すときの第２のフレーム・レートを低減する画像入力／出力制御ユニット；及び
該画像入力／出力制御ユニットにより読み出された画像に従って、当該カラー・シーケンシャル・ディスプレイの有するデータ駆動ユニット、走査駆動ユニット及び発光ダイオード駆動ユニットのタイミングを制御する駆動制御ユニット；
を有し、
前記データ駆動ユニット及び前記走査駆動ユニットは、当該カラー・シーケンシャル・ディスプレイの有するパネルに画素がどのように表示されるかを制御するために用いられ、
前記発光ダイオード駆動ユニットは、当該カラー・シーケンシャル・ディスプレイの有するバックライト・モジュールのバックライト・モードが作動されるか否かを制御するために用いられる、
ことを特徴とするカラー・シーケンシャル・ディスプレイ。
【請求項９】
前記表示端末が当該カラー・シーケンシャル・ディスプレイにより受信された画像が動的か静的かを検出された第１のフレーム・レートに従って決定できるように、前記第１のフレーム・レートを検出し、該検出された第１のフレーム・レートを前記画像入力／出力制御ユニットに供給するフレーム・レート検出ユニット；
を更に有する請求項８記載のカラー・シーケンシャル・ディスプレイ。
【請求項１０】
前記フレームが動的である間及び前記バックライト・モードが作動されるとき、前記フレーム・レート制御ユニットは、前記第１のフレーム・レートを第１の画像処理境界フレーム・レートまで低減し；
前記フレームが動的である間及び前記バックライト・モードが作動されないとき、前記フレーム・レート制御ユニットは、前記第１のフレーム・レートを第２の画像処理境界フレーム・レートまで又はそれより低く低減し；
前記フレームが静的である間、前記フレーム・レート制御ユニットは、前記第１のフレーム・レートを第３の画像処理境界フレーム・レートまで低減し；
前記第１の画像処理境界フレーム・レートは前記第２の画像処理境界フレーム・レートより高く、前記第２の画像処理境界フレーム・レートは前記第３の画像処理境界フレーム・レートより高く；
前記第１及び第２の画像処理境界フレーム・レートの両者はゼロより高い；
ことを特徴とする請求項８記載のカラー・シーケンシャル・ディスプレイ。
【請求項１１】
当該カラー・シーケンシャル・ディスプレイが前記バックライト・モードを作動するとき、前記グラフィック・エンジンはカラー画像の形式で画像を送信する；
ことを特徴とする請求項８記載のカラー・シーケンシャル・ディスプレイ。
【請求項１２】
当該カラー・シーケンシャル・ディスプレイが前記バックライト・モードを作動しないとき、前記グラフィック・エンジンはグレー・レベル画像又はカラー画像の形式で画像を送信する；
ことを特徴とする請求項８記載のカラー・シーケンシャル・ディスプレイ。
【請求項１３】
前記フレームが動的である間及び前記バックライト・モードが作動されるとき、前記画像入力／出力制御ユニットは、前記第２のフレーム・レートを第１の表示境界フレーム・レートまで低減し；
前記画像が動的である間及び前記バックライト・モードが作動されないとき、前記画像入力／出力制御ユニットは、前記第２のフレーム・レートを第２の表示境界フレーム・レートまで又はそれより低く低減し；
前記フレームが静的である間及び前記バックライト・モードが作動されるとき、前記画像入力／出力制御ユニットは、前記第２のフレーム・レートを第３の表示境界フレーム・レートまで低減し；及び
前記フレームが静的である間及び前記バックライト・モードが作動されないとき、前記画像入力／出力制御ユニットは、前記第２のフレーム・レートを第４の表示境界フレーム・レートまで低減し；
前記第１の表示境界フレーム・レートは前記第２及び第３の表示境界フレーム・レートの両者より高く、前記第２及び第３の表示境界フレーム・レートの両者は前記第４の表示境界フレーム・レートより高く；
前記第１及び第４の表示境界フレーム・レートはゼロより高い；
ことを特徴とする請求項８記載のカラー・シーケンシャル・ディスプレイ。
【請求項１４】
前記フレームが静的である間、前記画像入力／出力制御ユニットは、所定の色順序に従って前記表示端末の有するバッファに格納された固定画像を読み出す；
ことを特徴とする請求項１３記載のカラー・シーケンシャル・ディスプレイ。
【請求項１５】
カラー・シーケンシャル・タイミング制御部；
を更に有し、
当該カラー・シーケンシャル・タイミング制御部は：
前記グラフィック・エンジンから入力された画像、当該カラー・シーケンシャル・タイミング制御部の外部から入力された同期信号及び当該カラー・シーケンシャル・タイミング制御部のシステム・クロックを同期し、前記グラフィック・エンジンから入力された画像を、それぞれ異なる種類のサブピクセルに対応する複数のサブピクセルのグループに分類する入力バッファ；
前記画像入力／出力制御ユニットを有し、複数のサブピクセルのグループを有する前記画像を前記入力バッファから受信するデータ制御ユニット；
前記複数のサブピクセルのグループに１対１に対応する複数のサブピクセル・バッファを有し、前記データ制御ユニットの制御に従って及び所定の色順序に従って、前記複数のサブピクセルのグループを読み出すため又は書き込むために用いられる少なくとも１つのバッファ；
を有し、
前記駆動制御ユニットは、前記少なくとも１つのバッファから読み出された画像、前記同期信号及び前記システム・クロックに従って、前記データ駆動ユニット、前記走査駆動ユニット及び発光ダイオード駆動ユニットのタイミングを制御する；
ことを特徴とする請求項８記載のカラー・シーケンシャル・ディスプレイ。
【請求項１６】
当該カラー・シーケンシャル・ディスプレイが前記バックライト・モードを作動する間、カラー画像の形式で画像を出力するために用いられる、前記グラフィック・エンジンの有するカラー画像出力ユニット；
当該カラー・シーケンシャル・ディスプレイが前記バックライト・モードを作動しない間、選択的にカラー画像の形式の画像をグレー・レベル画像の形式の画像に変換するために用いられる、前記グラフィック・エンジンの有するカラー−グレー・レベル変換ユニット；及び
前記カラー画像出力ユニットから出力されたカラー画像の形式の画像を受信するか又は前記カラー−グレー・レベル変換ユニットから出力されたグレー・レベル画像の形式の画像を受信するかを制御するマルチプレクサ；
を有し、
前記グラフィック・エンジンは、当該カラー・シーケンシャル・ディスプレイの画像処理端末内に配置され；
バスが前記画像処理端末と前記カラー・シーケンシャル・タイミング制御部との間に配置され、該バスは、前記マルチプレクサにより受信された画像を前記入力バッファに変換し、前記第１のフレーム・レートを前記カラー・シーケンシャル・タイミング制御部に供給する；
ことを特徴とする請求項１５記載のカラー・シーケンシャル・ディスプレイ。
【請求項１７】
前記入力バッファは、前記フレーム・レート制御ユニットの前記第１のフレーム・レートを検出し、該検出した第１のフレーム・レートを前記画像入力／出力制御ユニットに供給するフレーム・レート検出ユニットを有する、
ことを特徴とする請求項１５記載のカラー・シーケンシャル・ディスプレイ。
【請求項１８】
前記入力バッファは、前記フレーム・レート制御ユニットの送信情報を検出し、該送信情報の検出結果を前記画像入力／出力制御ユニットに供給するフレーム・レート検出ユニットを有する；
ことを特徴とする請求項１５記載のカラー・シーケンシャル・ディスプレイ。
【請求項１９】
前記フレーム・レート制御ユニットは、前記第１のフレーム・レートに従ってフレーム・レート制御信号を生成し、該フレーム・レート制御信号を前記画像入力／出力制御ユニットへ送信し、該画像入力／出力制御ユニットが、当該カラー・シーケンシャル・ディスプレイの有する少なくとも１つのバッファに格納された画像を読み出す第２のフレーム・レートを該第１のフレーム・レートに従って決定できるようにする；
ことを特徴とする請求項８記載のカラー・シーケンシャル・ディスプレイ。
【請求項２０】
カラー・シーケンシャル・ディスプレイの電力節約方法であって：
当該カラー・シーケンシャル・ディスプレイの有する画像処理端末により受信されたフレームが静的か動的かを決定する段階；
当該カラー・シーケンシャル・ディスプレイがバックライト・モードを作動するか否かを決定する段階；
前記受信されたフレームの画像をそれぞれ異なる色に対応する複数のサブピクセルのグループに変換する段階；及び
前記フレームが静的か動的かの決定の結果に従って及び当該カラー・シーケンシャル・ディスプレイが前記バックライト・モードを作動するか否かの決定の結果に従って、前記画像処理端末により、前記複数のサブピクセルのグループのそれぞれを送信するフィールド・レートをそれぞれ低減する段階；
を有する方法。
【請求項２１】
前記フレームが静的か動的かの決定の結果に従って及び当該カラー・シーケンシャル・ディスプレイが前記バックライト・モードを作動するか否かの決定の結果に従って、前記複数のサブピクセルのグループのそれぞれを送信するフィールド・レートをそれぞれ低減する段階は：
前記フレーム・レートが動的である間及び前記バックライト・モードが作動されるとき、前記フィールド・レートを第１の画像処理境界フィールド・レートまで低減する段階；
前記フレームが動的である間及び前記バックライト・モードが作動されないとき、前記フィールド・レートを第２の画像処理境界フィールド・レートまで又はそれより低く低減する段階；及び
前記フレームが静的である間、前記フィールド・レートを第３の画像処理境界フィールド・レートまで低減する段階；
を有し、
前記第１の画像処理境界フィールド・レートは前記第２の画像処理境界フィールド・レートより高く、前記第２の画像処理境界フィールド・レートは前記第３の画像処理境界フィールド・レートより高く；
前記第１及び第２の画像処理境界フィールド・レートの両者はゼロより高い；
ことを特徴とする請求項２０記載の方法。
【請求項２２】
当該カラー・シーケンシャル・ディスプレイが前記バックライト・モードを作動している間、前記画像処理端末から前記表示端末へ、カラー画像の形式で画像を送信する段階；
を更に有する請求項２０記載の方法。
【請求項２３】
当該カラー・シーケンシャル・ディスプレイが前記バックライト・モードを作動している間、前記画像処理端末から前記表示端末へ、グレー・レベル画像の形式で画像を送信する段階；
を更に有する請求項２０記載の方法。
【請求項２４】
前記フレームが静的である間、所定の色順序に従って当該カラー・シーケンシャル・ディスプレイの有するバッファに格納された固定画像を読み出す段階；
を更に有する請求項２０記載の方法。
【請求項２５】
カラー・シーケンシャル・ディスプレイであって、
当該カラー・シーケンシャル・ディスプレイにより受信されたフレームが静的か動的かを検出する画像状態検出ユニット；
該画像状態検出ユニットによるフレームの検出の結果に従って、画像処理端末により複数のサブピクセルのグループのそれぞれを送信するフィールド・レートをそれぞれ低減するフィールド・レート制御ユニット；
当該カラー・シーケンシャル・ディスプレイがバックライト・モードを作動している間、前記フレームの画像を複数のサブピクセルのグループで送信し、該複数のサブピクセルのグループを所定の色順序に従って出力する単一色画像出力ユニット；及び
当該カラー・シーケンシャル・ディスプレイが前記バックライト・モードを作動しない間、前記複数のサブピクセルのグループをカラー画像の形式からグレー・レベル画像の形式に選択的に変換し、該複数の変換したサブピクセルのグループを前記所定の色順序に従って出力するカラー−グレー・レベル変換ユニット；
を有し、
前記単一色画像出力ユニット及び前記カラー−グレー・レベル変換ユニットにより出力された画像は、バスにより受信され及び送信される；
ことを特徴とするカラー・シーケンシャル・ディスプレイ。
【請求項２６】
カラー・シーケンシャル・タイミング制御部；
を更に有し、
該カラー・シーケンシャル・タイミング制御部は：
前記バスにより送信された各サブピクセルのグループを蓄積し、前記カラー・シーケンシャル・タイミング制御部に外部から入力された同期信号及び前記カラー・シーケンシャル・タイミング制御部のシステム・クロックの両者を同期する入力バッファ；及び
該入力バッファの蓄積された画像に従って、当該カラー・シーケンシャル・ディスプレイのデータ駆動ユニット、走査駆動ユニット及び発光ダイオード駆動ユニットのタイミングを制御する駆動制御ユニット；
を有し；
前記データ駆動ユニット及び前記走査駆動ユニットは、当該カラー・シーケンシャル・ディスプレイの画素がどのように表示されるかを制御するために用いられ；
前記発光ダイオード駆動モジュールは、当該カラー・シーケンシャル・ディスプレイのバックライト・モードを制御するために用いられ、前記バックライト・モードが作動されているか否かを決定するようにし；
前記バスは、前記画像処理端末と前記カラー・シーケンシャル・タイミング制御部との間に配置され、前記複数のサブピクセルのグループを前記バスへ送信し、前記フィールド・レート制御ユニットにより低減されたフィールド・レート及び前記バスにより送信された各サブピクセルのグループを前記カラー・シーケンシャル・タイミング制御部に供給する；
ことを特徴とする請求項２５記載のカラー・シーケンシャル・ディスプレイ。
【請求項２７】
前記フレームが動的である間及び前記バックライト・モードが作動されるとき、前記フィールド・レート制御ユニットは、前記フィールド・レートを第１の表示境界フィールド・レートまで低減し；
前記フレームが動的である間及び前記バックライト・モードが作動されないとき、前記フィールド・レート制御ユニットは、前記フィールド・レートを第２の表示境界フィールド・レートまで又はそれより低く低減し；
前記フレームが静的である間及び前記バックライト・モードが作動されるとき、前記フィールド・レート制御ユニットは、前記フィールド・レートを第３の表示境界フィールド・レートまで低減し；
前記フレームが静的である間及び前記バックライト・モードが作動されないとき、前記フィールド・レート制御ユニットは、前記フィールド・レートを第４の表示境界フィールド・レートまで低減し；
前記第１の表示境界フィールド・レートは前記第２及び第３の表示境界フィールド・レートの両者より高く、前記第２及び第３の表示境界フィールド・レートの両者は前記第４の表示境界フィールド・レートより高く；
前記第１及び第４の表示境界フィールド・レートはゼロより高い；
ことを特徴とする請求項２５記載のカラー・シーケンシャル・ディスプレイ。
【請求項２８】
前記単一色画像出力ユニットから出力された前記複数のサブピクセルのグループを受信するか又は前記カラー−グレー・レベル変換ユニットからの前記選択的に出力された複数のサブピクセルのグループを受信するかを制御し、前記複数の受信したサブピクセルのグループのそれぞれを前記バスへ送信するマルチプレクサ；
を更に有する請求項２５記載のカラー・シーケンシャル・ディスプレイ。
【発明の詳細な説明】
【技術分野】
【０００１】
本発明は、カラー・シーケンシャル・ディスプレイ及びその省電力方法を開示し、より詳細には、カラー・シーケンシャル・ディスプレイが作動しているか否か又は受信したフレームが静止画か動画かに従って、フレーム・レートをどのように低減させるか及びカラー画像又はグレー・レベル画像の形式で画像を出力するかを決定するカラー・シーケンシャル・ディスプレイに関する。
【背景技術】
【０００２】
従来のカラー・シーケンシャル・ディスプレイは多くの画素を有するフレームを表示するが、各画素内の異なる色に対応するサブピクセルは分離している。カラー・シーケンシャル・タイミング制御部の支援により、目に見える残像を利用することにより、サブピクセルは異なる色に従って切り替えられる。異なる色の表示されるサブピクセルの迅速な切り替えは、裸眼では観察されない。ここで、カラー・シーケンシャル・タイミング制御部は、カラー・シーケンシャル・ディスプレイのディスプレイ・パネル上の画素の表示タイミングを制御するために用いられる。従来のカラー・シーケンシャル・ディスプレイは、ディスプレイ・パネルの伝達率が引き上げられるように、カラー・フィルタを備えていない。しかしながら、異なる色のフィールドに対応するサブピクセルは、目に見える残像を利用することによりフルカラー・フレームを表示するという目的が達成されるように、カラー・フィルタを用いない条件下で適時排他的に且つ連続して出力されなければならない。従来のカラー・シーケンシャル・ディスプレイによりカラー画像の形式で画像を迅速に伝達するために、バスは画像処理端末とカラー・シーケンシャル・タイミング制御部との間に配置され、広い伝達帯域幅を提供するようにする必要がある。従って、スケジューリングされたサブピクセルは、カラー・シーケンシャル・タイミング制御部の制御下でディスプレイ・パネルに迅速に表示されうる。更に、フレームは静的又は動的であってよい。従来のカラー・シーケンシャル・ディスプレイの観察者の観察下で、静的フレーム及び動的フレームは特定の時間間隔内の変化の程度、つまりフレームの変化レートが異なる。ここで、動的フレームはより高い変化レートをもたらし、静的フレームはより低い変化レートをもたらすか又は特定の時間間隔内で不変に近い。高い電力消費をもたらすことなく、カラー・シーケンシャル・ディスプレイの特定の画像品質が維持されなければならない場合、静的フレーム及び動的フレームのフレーム・レートは程度が異なる必要がある。ここで、静的フレームはより低いフレーム・レートを必要とするが、動的フレームはより高いフレーム・レートを必要とする。
【発明の概要】
【発明が解決しようとする課題】
【０００３】
本発明は、カラー・シーケンシャル・ディスプレイ及びその電力節約方法を提供する。
【課題を解決するための手段】
【０００４】
請求される発明は、カラー・シーケンシャル・ディスプレイのための電力節約方法を開示する。電力節約方法は：当該カラー・シーケンシャル・ディスプレイの画像処理端末により受信されたフレームが静的か動的かを決定する段階；当該カラー・シーケンシャル・ディスプレイがバックライト・モードを作動するか否かを決定する段階；及び前記フレームが静的か動的か及び前記バックライト・モードが作動されているか否かの結果に従って、前記画像処理端末のグラフィック・エンジンにより用いられる第１のフレーム・レートを低減し、フレームを出力するときの当該カラー・シーケンシャル・ディスプレイ第２のフレーム・レートを低減する段階；を有する。
【０００５】
請求される発明は、カラー・シーケンシャル・ディスプレイを開示する。カラー・シーケンシャル・ディスプレイは、画像処理端末及び表示端末を有する。画像処理端末は、画像状態検出ユニット及びフレーム・レート制御ユニットを有する。画像状態検出ユニットは、カラー・シーケンシャル・ディスプレイにより受信された画像が静的か動的かを検出するために用いられる。フレーム・レート制御ユニットは、画像状態検出ユニットによる画像の検出の結果に従って及びカラー・シーケンシャル・ディスプレイがバックライト・モードを作動するか否かに従って、カラー・シーケンシャル・ディスプレイの有するグラフィック・エンジンの第１のフレーム・レートを低減するために用いられる。表示端末は、画像入力／出力制御ユニット及び駆動制御ユニットを有する。画像入力／出力制御ユニットは、第１のフレーム・レートに従って及びカラー・シーケンシャル・ディスプレイがバックライト・モードを作動するか否かに従って、画像を読み出すときの第２のフレーム・レートを低減するために用いられる。駆動制御ユニットは、画像入力／出力制御ユニットにより読み出された画像に従って、カラー・シーケンシャル・ディスプレイの有するデータ駆動ユニット、走査駆動ユニット及び発光ダイオード駆動ユニットのタイミングを制御するために用いられる。データ駆動ユニット及び走査駆動ユニットの両者は、カラー・シーケンシャル・ディスプレイの有するパネルに画素がどのように表示されるかを制御するために用いられる。発光ダイオード駆動ユニットは、カラー・シーケンシャル・ディスプレイの有するバックライト・モジュールのバックライト・モードが作動されるか否かを制御するために用いられる。
【０００６】
請求される発明は、カラー・シーケンシャル・ディスプレイの電力節約方法を開示する。電力節約方法は：当該カラー・シーケンシャル・ディスプレイの有する画像処理端末により受信されたフレームが静的か動的かを決定する段階；当該カラー・シーケンシャル・ディスプレイがバックライト・モードを作動するか否かを決定する段階；前記受信されたフレームの画像をそれぞれ異なる色に対応する複数のサブピクセルのグループに変換する段階；及び前記フレームが静的か動的かの決定の結果に従って及び当該カラー・シーケンシャル・ディスプレイが前記バックライト・モードを作動するか否かの決定の結果に従って、前記画像処理端末により、前記複数のサブピクセルのグループのそれぞれを送信するフィールド・レートをそれぞれ低減する段階；を有する。
【０００７】
請求される発明は、カラー・シーケンシャル・ディスプレイを開示する。カラー・シーケンシャル・ディスプレイは、画像状態検出ユニット、フィールド・レート制御ユニット、単一色画像出力ユニット及びカラー−グレー・レベル変換ユニットを有する。画像状態検出ユニットは、カラー・シーケンシャル・ディスプレイにより受信されたフレームが静的か動的かを検出するために用いられる。フィールド・レート制御ユニットは、画像状態検出ユニットによるフレームの検出の結果に従って、画像処理端末により複数のサブピクセルのグループのそれぞれを送信するためのフィールド・レートをそれぞれ低減するために用いられる。カラー・シーケンシャル・ディスプレイがバックライト・モードを作動している間、単一色画像出力ユニットは、フレームの画像を複数のサブピクセルのグループで送信し、該複数のサブピクセルのグループを所定の色順序に従って出力するために用いられる。カラー・シーケンシャル・ディスプレイがバックライト・モードを作動していない間、カラー−グレー・レベル変換ユニットは、複数のサブピクセルのグループをカラー画像の形式からグレー・レベル画像の形式へ選択的に変換し、所定の色順序に従って複数の変換したサブピクセルのグループを出力するために用いられる。単一色画像出力ユニット及びカラー−グレー・レベル変換ユニットにより出力された画像は、バスにより受信され及び送信される。
【０００８】
本発明の上述の及び他の目的は、以下の種々の図及びグラフに説明された好適な実施形態の詳細な説明を読むことにより、当業者に明らかである。
【図面の簡単な説明】
【０００９】
【図１】本発明の第１の実施形態によるカラー・シーケンシャル・ディスプレイの図である。
【図２】図１に示されたグラフィック・エンジン１６０及びカラー・シーケンシャル・タイミング制御部に適用される電力節約方法のフローチャートを示す。
【図３】本発明の第２の実施形態によるカラー・シーケンシャル・ディスプレイの図である。
【図４】本発明の第３の実施形態によるカラー・シーケンシャル・ディスプレイである。
【図５】本発明の第３の実施形態による、図４に示されたカラー・シーケンシャル・ディスプレイに適用される電力節約方法のフローチャートである。
【発明を実施するための形態】
【００１０】
本願明細書は、カラー・シーケンシャル・ディスプレイのための電力節約方法及び関連するカラー・シーケンシャル・ディスプレイを開示する。従来のカラー・シーケンシャル・ディスプレイと比較して、本願明細書に開示されるカラー・シーケンシャル・ディスプレイは、電力消費及び伝達帯域幅を更に低減しうる。更に、電力節約方法及び関連するカラー・シーケンシャル・ディスプレイを携帯型カラー・シーケンシャル・ディスプレイに適用することにより、電力消費が低減されるので、携帯型カラー・シーケンシャル・ディスプレイの使用周期は更に拡張されうる。本願明細書に開示される電力節約方法及び関連するカラー・シーケンシャル・ディスプレイでは、画像処理端末からカラー・シーケンシャル・ディスプレイの表示端末への画像の伝達に用いられる第１のフレーム／フィールド・レートと、表示端末によりバッファからの画像の読み出しに用いられる第２のフィールド・レートとは、電力消費及び伝達帯域幅を低減するために、受信フレームが静的か動的かに従って又はカラー・シーケンシャル・ディスプレイのバックライト・モードが作動しているか否かに従って、程度の異なる境界フレーム／フィールド・レート又はそれ以下まで低減させられる。留意すべき点は、第１のフレーム・レートは画像処理端末により画像の伝達に用いられ、第１のフィールド・レートは伝達されたフレームの特定の色（つまりフィールド）に対応し画像処理端末により用いられ、第２のフィールド・レートは表示端末により特定の色に対応する画像の読み出しに用いられることである。更に、バックライト・モードが作動しているか否かは、処理されるデータを減少させるために、画像の伝達及び表示がカラー画像の形式かグレー・レベル画像の形式かを決定するために考慮される。
【００１１】
図１を参照する。図１は、本発明の第１の実施形態によるカラー・シーケンシャル・ディスプレイ１００の図である。図１に示されるように、カラー・シーケンシャル・ディスプレイ１００は、表示端末１１０及び画像処理端末１５０を有する。表示端末１１０は、画像処理端末１５０と表示システム端末１１０との間でクロック信号又は同期信号を含む画像又は制御信号を送信するために、バス１８０を通じて画像処理端末１５０に電気的に接続される。
【００１２】
画像処理端末１５０は、プライマリ・プロセッサ１５２、チップ・セット１５４及びグラフィック・インタフェース・カード１５６を有する。プライマリ・プロセッサ１５２及びチップ・セット１５４は共同で用いられ、グラフィック・インタフェース・カード１５６に関連する所望の画像処理を実行するか、グラフィック・インタフェース・カード１５６へのフレームを生成する。グラフィック・インタフェース・カード１５６は、グラフィック・エンジン１６０、フレーム・バッファ１６２及び送信機１６４を有する。グラフィック・エンジン１６０は、グラフィック・インタフェース・カード１５６により受信されたフレームに従って画像を処理するために用いられる。フレーム・バッファ１６２は、グラフィック・エンジン１６０の処理中に必要なデータ又は信号をバッファに蓄積するために用いられる。送信機１６４は、表示端末１１０により要求され及びグラフィック・エンジン１６０により出力される所望の画像をバス１８０を通じて送信するために用いられる。
【００１３】
グラフィック・エンジン１６０は、カラー画像出力ユニット１７０、カラー−グレー・レベル変換ユニット１７２、マルチプレクサ１７４、画像状態検出ユニット１７６及びフレーム・レート制御ユニット１７８を有する。カラー画像出力ユニット１７０は、カラー画像の形式で画像を出力するために用いられる。カラー−グレー・レベル変換ユニット１７２は、カラー画像の形式の画像をグレー・レベル画像に変換するために用いられる。マルチプレクサ１７４は、カラー画像の形式の画像をカラー画像出力ユニット１７０から出力するか又はグレー・レベルの形式の画像をカラー−グレー・レベル変換ユニット１７２から出力するかを特定のコマンドに従って決定するために用いられる。画像状態検出ユニット１７６は、カラー・シーケンシャル・ディスプレイ１００により受信されたフレームが静的か動的かを検出するために用いられる。ここで、受信された画像は、プライマリ・プロセッサ１５２及びチップ・セット１５４の連携により生成される。フレーム・レート制御ユニット１７８は、グラフィック・エンジン１６０による画像の送信に用いられる第１のフレーム・レートＦＲ１を、画像状態検出ユニット１７６によるフレームの検出の結果に従って制御するために用いられる。
【００１４】
表示端末１１０は、カラー・シーケンシャル・タイミング制御部１２０、データ駆動ユニット１３０、走査駆動ユニット１３２、ディスプレイ・パネル１３４、発光ダイオード駆動ユニット１３６、バックライト・モジュール１３８、第１のバッファ１４０及び第２のバッファ１４２を有する。データ駆動ユニット１３０及び走査駆動ユニット１３２は、作動されたトランジスタに対応する画素を表示するよう、ディスプレイ・パネル１３４の有する特定のトランジスタを作動させるために用いられる。発光ダイオード駆動ユニット１３６は、カラー・シーケンシャル・ディスプレイ１００がバックライト・モードを作動している間にバックライトを提供するために、バックライト・モジュール１３８の複数の発光ダイオードを駆動するために用いられる。
【００１５】
カラー・シーケンシャル・タイミング制御部１２０は、ディスプレイ・パネル１３４のトランジスタ又は発光ダイオードのタイミングを制御するために、データ駆動ユニット１３０、走査駆動ユニット１３２及び発光ダイオード駆動ユニット１３６を制御するために用いられる。バッファ１４０及び１４２は、カラー・シーケンシャル・タイミング制御部１２０により読み出し又は書き込まれたサブピクセルを蓄積するために用いられる。カラー・シーケンシャル・タイミング制御部１２０は、入力バッファ１２２、データ制御ユニット１２４、駆動制御ユニット１２６及び受信機１２８を有する。受信機１２８は、送信された画像又は信号をバス１８０から受信するために用いられる。入力バッファ１２２は、グラフィック・エンジン１６０により入力される画像、カラー・シーケンシャル・タイミング制御部１１０の外部から入力される同期信号及びカラー・シーケンシャル・タイミング制御部１１０により用いられるシステム・クロックを同期するために用いられる。更に、入力バッファ１２２は、グラフィック・エンジン１６０からの画像の画素を異なるサブピクセルのグループに分類しソートする。ここで各グループは固有の色に対応する。本発明の好適な実施形態では、カラー・シーケンシャル・ディスプレイ１００により表示されるサブピクセルは、赤サブピクセル、緑サブピクセル及び青サブピクセルを有してよい。入力バッファ１２２は、フレーム・レート制御ユニット１７８により制御される第１のフレーム・レートＦＲ１を検出するフレーム・レート検出ユニット１４４を有する。データ制御ユニット１２４は画像入力／出力ユニット１４６を有する。画像入力／出力ユニット１４６は、バッファ１４０及び１４２と連携し、第１のフレーム・レートＦＲ１に従ってバッファ１４０及び１４２の読み出しのために用いられる第２のフレーム・レートＦＲ２を低減し、更にバッファ１４０及び１４２の画像の書き込みを制御する。駆動制御ユニット１２６は、画像入力／出力制御ユニット１４６により読み出された画像に従って、データ駆動ユニット１３０、走査駆動ユニット１３２及び発光ダイオード駆動ユニット１３６のタイミングを制御するために用いられる。留意すべき点は、第１のフレーム・レートＦＲ１は、第２のフレーム・レートＦＲ２よりも高くなければならないことである。何故なら、画像処理端末１５０からそして表示端末１１０へ送信される画像は、画像をバッファに蓄積している間により低いフレーム・レートが要求されうるように、予めバッファに蓄積され、後に駆動制御ユニット１２６の制御下で出力される必要があるからである。
【００１６】
図１に示されたカラー・シーケンシャル・ディスプレイ１００に適用される電力節約方法を以下に説明する。プライマリ・プロセッサ１５２及びチップ・セット１５４がグラフィック・エンジン１６０でフレームを生成する一方で、画像状態検出ユニット１７６は該フレームが静的フレームか動的フレームかを検出し、次にフレーム・レート制御ユニット１７８は画像状態検出ユニット１７６によるフレームの検出結果に従ってグラフィック・エンジン１６０により用いられる第１のフレーム・レートＦＲ１を制御する。
【００１７】
フレーム・レート制御ユニット１７８は次の規則に従って第１のフレーム・レートＦＲ１を制御する。
（１）フレームが動的である間及びカラー・シーケンシャル・ディスプレイ１００がバックライト・モードを作動しているとき、第１のフレーム・レートＦＲ１を第１の画像処理境界フレーム・レートＦＲ１＿１まで低減する。
（２）フレームが動的である間及びカラー・シーケンシャル・ディスプレイ１００がバックライト・モードを作動していないとき、第１のフレーム・レートＦＲ１を第２の画像処理境界フレーム・レートＦＲ１＿２まで又はそれより低く低減する。
（３）フレームが静的である間、第１のフレーム・レートＦＲ１を第３の画像処理境界フレーム・レートＦＲ１＿３まで低減する。
【００１８】
留意すべき点は、第１の画像処理境界フレーム・レートＦＲ１＿１は第２の画像処理境界フレーム・レートＦＲ１＿２より高く、第２の画像処理境界フレーム・レートＦＲ１＿２は第３の画像処理境界フレーム・レートＦＲ１＿３より高いことである。第１及び第２の画像処理境界フレーム・レートＦＲ１＿１及びＦＲ１＿２の両方はゼロより高く、第３の画像処理境界フレーム・レートＦＲ１＿３は少なくともゼロである。フレーム・レートＦＲ１が上述の３つの状態のうちの対応する１つの状態で上述の画像処理境界フレーム・レートより低い間、表示される画像にフリッカのような不具合が導入されうる。
【００１９】
フレームが動的でありカラー・シーケンシャル・ディスプレイがバックライト・モードを作動している第１の状態では、動的フレームを表示する品質を正規の程度より上に維持するために、より高いフレーム・レートが必要である。従って、第１の画像処理境界フレーム・レートＦＲ１は、上述の３つの画像処理境界フレーム・レートの中で最も高い。フレームが動的でありカラー・シーケンシャル・ディスプレイ１００がバックライト・モードを作動していない第２の状態では、画像処理境界フレーム・レートＦＲ１＿２は、動的フレームを表示する品質を低下させることなく、画像処理境界フレーム・レートＦＲ１＿１よりも僅かに低くてよい。第２の画像処理境界フレーム・レートＦＲ１＿２より低いフレーム・レートが適用されてもよい。何故なら、このときにはバックライトが供給されないので、フレーム・レートが不十分な状態で導入されるフリッカは観察されえないからである。フレームが静的であり３つの画像処理境界フレーム・レートの中で最も低い第３の画像処理境界フレーム・レートＦＲ１＿３が用いられる状態では、バックライト・モードが作動されることは問題にならない。何故なら、静的フレームの表示は表示品質を維持するために高いフレーム・レートを必要としないからである。しかしながら、表示端末１１０が固定された画像を連続的にバッファ１４０及び１４２に読み込む間、第３の画像処理境界フレーム・レートＦＲ１＿３は０Ｈｚであってよい。第１及び第２の画像処理境界フレーム・レートＦＲ１＿１及びＦＲ１＿２の両者はゼロより高くない。何故なら、動的フレームを表示する際に品質の損失を防ぐために、動的フレームを送信するフレーム・レートはゼロになりえないからである。
【００２０】
更に、カラー・シーケンシャル・ディスプレイ１００がバックライト・モードを作動していないとき、マルチプレクサ１７４は、選択的に、カラー画像出力ユニット１７０からカラー画像の形式でフレームを出力するかカラー−グレー・レベル変換ユニット１７２からグレー・レベル画像の形式でフレームを出力する。カラー−グレー・レベル変換ユニット１７２は、カラー画像の形式の画像をグレー・レベルの形式の画像に変換する。カラー・シーケンシャル・ディスプレイ１００がカラー画像を有するフレームを出力する間、第１のフレーム・レートＦＲ１は低減されるので、特定量の電力消費が節約される。しかしながら、カラー・シーケンシャル・ディスプレイ１００がグレー・レベル画像を有するフレームを出力する間、グレー・レベル画像のデータはカラー画像のデータより出力するフレームが少ないので、本発明では、画像処理端末１５０の送信レートは低減可能であり、従って電力消費は更に節約されうる。
【００２１】
画像入力／出力制御ユニット１４６は、以下に従って第２のフレーム・レートＦＲ２を制御する。
（１）受信フレームが動的である間及びカラー・シーケンシャル・ディスプレイ１００がバックライト・モードを作動しているとき、第２のフレーム・レートＦＲ２を第１の表示境界フレーム・レートＦＲ２＿１まで低減する。
（２）フレームが動的である間及びカラー・シーケンシャル・ディスプレイ１００がバックライト・モードを作動していないとき、第２のフレーム・レートを第２の画像処理境界フレーム・レートＦＲ２＿２まで又はそれより低く低減する。
（３）受信フレームが静的である間及びカラー・シーケンシャル・ディスプレイ１００がバックライト・モードを作動しているとき、第２のフレーム・レートＦＲ２を第３の表示境界フレーム・レートＦＲ２＿３まで低減する。
（４）受信フレームが静的である間及びカラー・シーケンシャル・ディスプレイ１００がバックライト・モードを作動していないとき、第２のフレーム・レートＦＲ２を第４の表示境界フレーム・レートＦＲ２＿４まで低減する。
【００２２】
第１の表示境界フレーム・レートＦＲ２＿１は第２、第３、第４の表示境界フレーム・レートＦＲ２＿２、ＦＲ２＿３及びＦＲ２＿４より高い。第１及び第３の表示境界フレーム・レートＦＲ２＿２及びＦＲ２＿３の両方は、ゼロより高い第４の表示境界フレーム・レートＦＲ２＿４より高い。
【００２３】
留意すべき点は、上述の表示境界フレーム・レートはバッファ１４０及び１４２から画像入力／出力ユニット１４６により画像を読み出すため及び画像を表示するために読み出した画像を駆動制御ユニット１２６へ送信するために用いられることである。バックライト・モードが作動している間はより高いフレーム・レートが必要とされるので、第１の表示境界フレーム・レートＦＲ２＿１は第２の表示境界フレーム・レートＦＲ２＿２より高い。動的フレームの処理は静的フレームの処理より高いフレーム・レートを必要とするので、第１の表示境界フレーム・レートＦＲ２＿１は第３の表示境界フレーム・レートＦＲ２＿３より高い。上述の説明から分かるように、ディスプレイ・パネル１３４へ画像を出力するための第４の表示境界フレーム・レートＦＲ２＿４は、第２及び第３の表示境界フレーム・レートＦＲ２＿２及びＦＲ２＿３の両者よりも低い。何故なら、第４の表示境界フレーム・レートＦＲ２＿４は静的フレームが受信されバックライト・モードが作動されない状況に対応するからである。更に、フレーム・レート検出ユニット１４４による第１のフレーム・レートＦＲ１の検出結果が受信フレームは静的であるという事実をもたらす間、画像入力／出力ユニット１４６は、所定の色の順序に従ってバッファ１４０又は１４２から固定画像を読み出してよい。所定の色の順序は、ＲＧＢＷ又はＲＧＢＧのアルゴリズムで用いられる色の順序であってよい。従って、所定の色の順序を変更することにより生じる実施形態も本発明の実施形態であると見なされる。
【００２４】
同様に、カラー・シーケンシャル・ディスプレイ１００がグレー・レベル画像の形式でフレームを出力する間、グレー・レベル画像の処理データはカラー画像の処理データより少ないので、バッファ１４０及び１４２の何れか一方のデータ・フローも低減され、従って結果として電力消費の低減も達成されうる。
【００２５】
留意すべき点は、入力バッファ１２２は受信画像を複数のサブピクセルのグループに分類しソートすることである。本発明の好適な実施形態では、該グループは、赤サブピクセルのグループ、緑サブピクセルのグループ及び青サブピクセルのグループを有する。図１に示されるように、本発明の好適な実施形態では、各バッファ１４０及び１４２は、対応するサブピクセルのグループを蓄積するために、赤サブピクセルのバッファＲ、緑サブピクセルのバッファＧ及び青サブピクセルのバッファＢを有する。画像入力／出力制御ユニット１４６は、フレーム・レート検出ユニット１４４により検出されたフレーム・レートに従って、異なるサブピクセルのグループをサブピクセルの単位でバッファ１４０及び１４２から読み出すか又はそれらに書き込む。カラー・シーケンシャル・ディスプレイ１００の通常動作では、画像入力／出力制御ユニット１４６は、同時に、サブピクセルをバッファ１４０及び１４２の一方から読み出し、サブピクセルをバッファ１４０及び１４２の他方へ書き込む。
【００２６】
留意すべき点は、本発明の他の実施形態では、使用されるバッファの量が図１に示されたバッファ１４０及び１４２に限定されないことである。図１は本発明の一実施形態を単に代表するだけである。留意すべき点は、画像入力／出力制御ユニット１４６がバッファ１４０及び１４２に対して読み出し及び書き込む一方で、読み出されたサブピクセル及び書き込まれたサブピクセルは、グラフィック・エンジン１６０により出力された画像に続くことにより、カラー画像又はグレー・レベル画像に含まれてよいことである。
【００２７】
最後に、駆動制御ユニット１２６は、データ駆動ユニット１３０及び走査駆動ユニット１３２を制御し、データ制御ユニット１２４により、つまり画像入力／出力制御ユニット１４６により読み出されたサブピクセルに従って、ディスプレイ・パネル１３４の複数のトランジスタの作動状態を操作し、従って読み出されたサブピクセルをディスプレイ・パネル１３４に表示するようにする。
【００２８】
図２を参照する。図２は、図１に示されたグラフィック・エンジン１６０及びカラー・シーケンシャル・タイミング制御部１１０に適用される電力節約方法のフローチャートを示す。図２に示されるように、電力節約方法は以下の段階を有する。
段階２０２：カラー・シーケンシャル・ディスプレイの画像処理端末により受信されたフレームが静的か動的かを決定し、カラー・シーケンシャル・ディスプレイがバックライト・モードか否かを決定する。フレームが動的である間及びバックライト・モードが作動するとき、段階２０４へ進む。フレームが動的である間及びバックライト・モードが作動しないとき、段階２０６へ進む。フレームが静的である間、段階２０８へ進む。
段階２０４：第１のフレーム・レートＦＲ１を第１の画像処理境界フレーム・レートＦＲ１＿１まで調整し、段階２１０へ進む。
段階２０６：第１のフレーム・レートＦＲ１を第２の画像処理境界フレーム・レートＦＲ１＿２まで調整し、段階２１０へ進む。
段階２０８：第１のフレーム・レートＦＲ１を第３の画像処理境界フレーム・レートＦＲ１＿３まで調整し、段階２１０へ進む。
段階２１０：カラー画像又はグレー・レベル画像の形式で、画像処理端末からカラー・シーケンシャル・ディスプレイの表示端末へ画像を選択的に送信し、段階２１２へ進む。
段階２１２：表示端末は、第１のフレーム・レートＦＲ１に従って、受信されたフレームが静的か動的かを決定し、カラー・シーケンシャル・ディスプレイがバックライト・モードを作動するか否かを決定する。フレームが動的である間及びバックライト・モードが作動されないとき、段階２１６へ進む。フレームが静的である間及びバックライト・モードが作動されるとき、段階２１８へ進む。フレームが静的である間及びバックライト・モードが作動されないとき、段階２２０へ進む。
段階２１４：第２のフレーム・レートＦＲ２を第１の表示境界フレーム・レートＦＲ２＿１に調整する。
段階２１６：第２のフレーム・レートＦＲ２を第２の表示フレーム・レートＦＲ２＿２に調整する。
段階２１８：第２のフレーム・レートＦＲ２を第３の表示境界フレーム・レートＦＲ２＿３に調整し、段階２２２へ進む。
段階２２０：第２のフレーム・レートＦＲ２を第４の表示境界フレーム・レートＦＲ２＿４に調整し、段階２２２へ進む。
段階２２２：固定画像をバッファから読み出す。
【００２９】
留意すべき点は、図２に示された段階の順序が本発明の好適な実施形態を単に示すだけであることである。しかしながら、図２の示される段階の順列と組み合わせにより生成されるか又は上述の制限を追加することにより生成される実施形態も、本発明の実施形態と見なされるべきである。
【００３０】
図３を参照する。図１は、本発明の第２の実施形態によるカラー・シーケンシャル・ディスプレイ３００の図である。カラー・シーケンシャル・ディスプレイ３００は、図１に示されるカラー・シーケンシャル・ディスプレイ１００と同様であり、グラフィック・エンジン１６０のフレーム・レート制御１７８が、図１に示されたフレーム・レート検出ユニット１４４の支援を得て画像入力／出力制御ユニット１４６を制御する代わりに、ディスプレイ・パネル１３４の更新レートで画像入力／出力制御ユニット１４６を直接に制御することを特徴とする点が異なるだけである。カラー・シーケンシャル・ディスプレイ１００と３００との相違を言うと、カラー・シーケンシャル・ディスプレイ３００は、表示端末３１０、カラー・シーケンシャル・タイミング制御部３２０を有し、カラー・シーケンシャル・タイミング制御部３２０は入力バッファ３２２を有する。更に、フレーム・レート制御ユニット１７８は、第１のフレーム・レートＦＲ１を画像処理端末１５０に供給し、画像処理端末１５０が第１のフレーム・レートＦＣ１に従って表示端末３１０のインタフェース送信レートを制御可能なようにする。フレーム・レート制御ユニット１７８は、第２のフレーム・レートＦＣ２を画像入力／出力処理ユニット１４６に供給し、画像入力／出力処理ユニット１４６が第２のフレーム・レートＦＣ２に従って表示パネル１３４の更新レートを制御するようにする。更に、図３に示された他の実施形態では、フレーム・レート制御ユニット１７８は、画像入力／出力処理ユニット１４６へ制御信号を直接に供給し、従って画像入力／出力処理ユニット１４６が第２のフレーム・レートＦＣ２を生成可能なようにする。
【００３１】
更に、カラー・シーケンシャル・ディスプレイ３００は、図２に開示された電力節約方法を適用し、カラー・シーケンシャル・ディスプレイ１００の有する利点と同じ利点を達成してもよい。
【００３２】
図４を参照する。図４は、本発明の第３の実施形態によるカラー・シーケンシャル・ディスプレイ４００である。図４に示されるように、カラー・シーケンシャル・ディスプレイ４００は、カラー・シーケンシャル・ディスプレイ２００及び３００と同様であるが、サブピクセルの単位で画像を送信する点がカラー・シーケンシャル・ディスプレイ２００及び３００と僅かに異なる。第１の相違点は、バッファ、データ制御ユニット及び画像入力／出力制御ユニットを除去している点である。第２の相違点は、カラー画像出力ユニット１７０の代わりに単一色画像出力ユニット４７０を用いる点である。単一色画像出力ユニット４７０は、サブピクセルのグループのソート及び分類を実行するため及び所定の色順序に従ってバス１８０を通じてサブピクセルのグループを表示端末に入力するためにも用いられる。更に、フレーム・レート制御ユニット１７８は、フィールド・レート制御ユニット４７８によっても置き換えられる。フィールド・レート制御ユニット４７８は、カラー・シーケンシャル・タイミング制御部４２０を制御するために用いられるフィールド・レートＦＦを制御する。カラー・シーケンシャル・ディスプレイ４００とカラー・シーケンシャル・ディスプレイ２００及び３００の両者との間の相違を言うと、カラー・シーケンシャル・ディスプレイ４００は、表示端末４１０及び画像処理端末４５０を有する。表示端末は、カラー・シーケンシャル・タイミング制御部４２０を有する。画像処理端末４５０は、グラフィック・インタフェース・カード４５６を有する。グラフィック・インタフェース・カード４５６はグラフィック・エンジン４６０を有する。
【００３３】
グラフィック・エンジン４６０が画像を受信する間、異なる色に従ってソートされ分類された複数のサブピクセルのグループが単一色画像出力ユニット４７０及びカラー−グレー・レベル変換ユニット１７２で生成され、複数のサブピクセルのグループを出力する順序が所定の色順序に従ってスケジューリングされる。例えば、赤サブピクセルのグループ、緑サブピクセルのグループ、そして青サブピクセルのグループの順である。フレーム・レート制御ユニット４７８は、複数のサブピクセルのグループのそれぞれに対して、受信したフレームが静的か動的かという検出結果に従って、及びカラー・シーケンシャル・ディスプレイ４００がバックライト・モードを作動するか否かに従って、フィールド・レートＦＦを低減する。フィールド・レート制御ユニット４７８は、図１に示された画像入力／出力制御ユニット１４６により第２のフレーム・レートＦＲ２を低減するのと同一の方法でフィールド・レートＦＦを低減する。関連する規則は以下に単に列挙される。
（１）受信したフレームが動的である間及びカラー・シーケンシャル・ディスプレイ４００がバックライト・モードを作動しているとき、フィールド・レートＦＦを第１の画像処理境界フィールド・レートＦＦ＿１まで低減する。
（２）フレームが動的である間及びカラー・シーケンシャル・ディスプレイ４００がバックライト・モードを作動していないとき、フィールド・レートＦＦを第２の画像処理境界フィールド・レートＦＦ＿２まで低減する。
（３）フレームが静的である間及びカラー・シーケンシャル・ディスプレイがバックライト・モードを作動しているとき、フィールド・レートＦＦを第３の画像処理境界フィールド・レートＦＦ＿３まで低減する。
（４）フレームが静的である間及びカラー・シーケンシャル・ディスプレイ４００がバックライト・モードを作動していないとき、フィールド・レートを第４の画像処理境界フィールド・レートＦＦ＿４まで低減する。
【００３４】
上述の４つの状態では、フィールド・レートＦＦはゼロより高くなければならない。第１の画像処理境界フィールド・レートＦＦ＿１は第２及び第３の画像処理境界フィールド・レートＦＦ＿２及びＦＦ＿３の両者よりも高く、第２及び第３の画像処理境界フィールド・レートＦＦ＿２及びＦＦ＿３の両者は第４の画像処理境界フィールド・レートＦＦ＿４よりも高い。換言すると、第１、第２、第３及び第４の画像処理境界フィールド・レートＦＦ＿１、ＦＦ＿２、ＦＦ＿３及びＦＦ＿４は全てゼロより高い。
【００３５】
留意すべき点は、図１に関する説明と同様に、カラー・シーケンシャル・ディスプレイ４００では、マルチプレクサ１７４は、選択的に、単一色画像出力ユニット４７０からカラー画像の形式で画像を出力するか又はカラー−グレー・レベル変換ユニット１７２からグレー・レベル画像の形式で画像を出力してよい。グレー・レベル画像の送信で処理されるデータはカラー画像の送信で処理されるデータよりも少ないので、電力消費が達成されうる。更に、グラフィック・エンジン４６０は所定の色順序に従ってサブピクセルのグループをどうように出力するかを準備しているので、カラー・シーケンシャル・タイミング制御部４２０は、データ駆動ユニット１３０及び走査駆動ユニット１３２のタイミングを制御している間、複数のサブピクセルのグループをソートすることから解放される。
【００３６】
図５を参照する。図５は、本発明の第３の実施形態による、図４に示されたカラー・シーケンシャル・ディスプレイ４００に適用される電力節約方法のフローチャートである。図５に示されるように、電力節約方法は以下の段階を有する。
段階５０２：カラー・シーケンシャル・ディスプレイの画像処理端末により受信されたフレームが静的か動的かを決定し、カラー・シーケンシャル・ディスプレイがバックライト・モードを作動するか否かを決定する。フレームが動的である間及びカラー・シーケンシャル・ディスプレイがバックライト・モードを作動するとき、段階５０４へ進む。フレームが動的である間及びカラー・シーケンシャル・ディスプレイがバックライト・モードが作動しないとき、段階５０６へ進む。フレームが静的である間及びカラー・シーケンシャル・ディスプレイがバックライト・モードを作動するとき、段階５０８へ進む。フレームが静的である間及びカラー・シーケンシャル・ディスプレイがバックライト・モードを作動しないとき、段階５１０へ進む。
段階５０４：フィールド・レートＦＦを第１の画像処理境界フィールド・レートＦＦ＿１まで低減し、段階５１２へ進む。
段階５０６：フィールド・レートＦＦを第２の画像処理境界フィールド・レートＦＦ＿２まで又はそれ以下に低減し、段階５１２へ進む。
段階５０８：フィールド・レートＦＦを第３の画像処理境界フィールド・レートＦＦ＿３まで低減し、段階５１２へ進む。
段階５１０：フィールド・レートＦＦを第４の画像処理境界フィールド・レートＦＦ＿４まで低減し、段階５１２へ進む。
段階５１２：選択的にカラー画像又はグレー・レベル画像の形式で、カラー・シーケンシャル・ディスプレイの表示端末に画像を出力する。
【００３７】
留意すべき点は、図５に示されたフローチャートの順序が本発明の好適な実施形態を単に示すだけであることである。図５の示される段階の順列と組み合わせにより生成されるか又は上述の制限を追加することにより生成される実施形態も、本発明の実施形態と見なされるべきである。
【００３８】
本発明は、特定の電力節約方法及びそのカラー・シーケンシャル・ディスプレイを開示する。本発明の電力節約方法は、受信した又は送信したフレームが動的か又は静的かを決定することにより及びカラー・シーケンシャル・ディスプレイのバックライト・モードが作動しているか否かに従って、より少量のデータ及びより少ない帯域幅を消費するグレー・レベル画像を送信するか否かを選択することにより、画像を送信するときのフレーム／フィールド・レートを低減し、カラー・シーケンシャル・ディスプレイの電力消費を効率的に減少させる、ことを主に特徴とする。本発明のカラー・シーケンシャル・ディスプレイが動的フレームを表示しない間、カラー・シーケンシャル・ディスプレイは、バックライト・モードが作動しているか否かに従って、フレーム／フィールド・レートを低減し、固定静止画像を連続して読み出す。従って、動的画像を表示することにより如何なる追加の電力消費も導入されない。更に、電力節約方法を携帯型カラー・シーケンシャル・ディスプレイに適用する間、より少ない帯域幅及び低電力消費の両方が導入され、従って、携帯型カラー・シーケンシャル・ディスプレイの使用時間は、如何なる外部電源も供給されない条件下で更に拡張される。従来のカラー・シーケンシャル・ディスプレイと比較して、本発明の電力節約方法及びそのカラー・シーケンシャル・ディスプレイは、処理されるデータを低減し、従ってデータ処理の複雑性を低減し、送信のためのフレーム・レート又は画像を読み出す際のフィールド・レートを低減することにより画像処理端末、表示端末又はそれらの間のインタフェースの電力消費を低減しうる。更に、カラー・フィルタを備える従来の画像処理端末へのバッファの追加も電力消費を低減しうるが、本発明の電力節約方法及びそのカラー・シーケンシャル・ディスプレイは、処理データ及び送信を低減しうるので、本発明は、カラー・フィルタを備える従来の画像処理端末よりも更に良好な電力節約を達成しうる。
【００３９】
当業者は、本発明の教示を守りつつ、装置及び方法の多くの変形及び代替がなされ得ることを直ちに理解するだろう。
【符号の説明】
【００４０】
１１０  表示端末
１２０  カラー・シーケンシャル・タイミング制御回路
１２２  入力バッファ
１２４  データ制御ユニット
１２６  駆動制御ユニット
１２８  受信機
１３０  データ駆動ユニット
１３２  走査駆動ユニット
１３４  ディスプレイ・パネル
１３６  発光ダイオード駆動ユニット
１３８  バックライト・モジュール
１４４  フレーム・レート検出ユニット
１４６  画像入力／出力制御ユニット
１５０  画像処理端末
１５２  プライマリ・プロセッサ
１５４  チップ・セット
１５６  グラフィック・インタフェース・カード
１６０  グラフィック・エンジン
１６２  フレーム・バッファ
１６４  送信機
１７０  カラー画像出力ユニット
１７２  カラー−グレー・レベル変換ユニット
１７４  マルチプレクサ
１７６  画像状態検出ユニット
１７８  フレーム・レート制御ユニット
１８０  バス
３２０  カラー・シーケンシャル・タイミング制御回路
３２２  入力バッファ
４２０  カラー・シーケンシャル・タイミング制御回路
４５０  画像処理端末
４５６  グラフィック・インタフェース・カード
４６０  グラフィック・エンジン
４７０  単一色画像出力ユニット
４７８  フィールド・レート制御ユニット
【図１】
2011065127.tif 000003
【図２】
2011065127.tif 000004
【図３】
2011065127.tif 000005
【図４】
2011065127.tif 000006
【図５】
2011065127.tif 000007